(57)【要約】【課題】  発呼トーンの受信設定が手動受信に設定されているファクシミリ装置において、ファックス装置に詳しくないユーザが発信側のファクシミリ装置からの呼出音に対して応答したとしても、発信側と着信側とのファクシミリ装置間での通信エラーの発生を防止することが可能なファクシミリ装置を提供する。【解決手段】  手動受信を行うファクシミリ装置において、音声通信を媒介する受話器と、着信を検出する着信検出部と、ユーザによる受話器のフックアップを検出するフック検出部と、ファックス信号を送受信するファックス信号送受信部と、音声メッセージを送出する音声メッセージ送出部と、ファックス通信を制御する通信制御部とを備え、通信制御部は、着信が検出され、受話器のフックアップが検出され、ファックス信号の受信が検出された後、音声メッセージ制御部による音声メッセージの送出を受話器を介して行わせる。【選択図】  図１
2012178756.tif 000002
【特許請求の範囲】
【請求項１】
手動受信を行うファクシミリ装置において、
音声通信を媒介する受話器と、
着信を検出する着信検出部と、
ユーザによる前記受話器のフックアップを検出するフック検出部と、
ファックス信号を送受信するファックス信号送受信部と、
音声メッセージを送出する音声メッセージ送出部と、
ファックス通信を制御する通信制御部とを備え、
前記通信制御部は、
前記着信検出部により前記着信が検出され、
前記フック検出部により前記受話器のフックアップが検出され、
前記ファックス信号送受信部により前記ファックス信号の受信が検出された後、前記音声メッセージ制御部による前記音声メッセージの送出を前記受話器を介して行わせる制御を行うこと
を特徴とするファクシミリ装置。
【請求項２】
前記通信制御部は、
前記ファックス信号送受信部による前記ファックス信号の送受中に、前記音声メッセージ制御部による前記音声メッセージの送出を前記受話器を介して行わせる制御を行うこと
を特徴とする請求項１に記載のファクシミリ装置。
【請求項３】
前記通信制御部は、
前記ファックス信号送受信部による前記ファックス信号の送受中に、前記フック検出部により前記受話器のフックアップが検出されたとき、前記音声メッセージ制御部による前記音声メッセージの送出を前記受話器を介して行わせる制御を行うこと
を特徴とする請求項１に記載のファクシミリ装置。
【請求項４】
メッセージを報知する表示装置及び／又は音響装置を備え、
前記通信制御部は、前記音声メッセージの送出に換えて前記表示装置及び／又は音響装置を用いて前記ユーザに対して前記メッセージを報知させること
を特徴とする請求項１乃至３の何れか１項に記載のファクシミリ装置。
【発明の詳細な説明】
【技術分野】
【０００１】
本発明は、手動受信機能を有するファクシミリ装置に関するものである。
【背景技術】
【０００２】
従来のファクシミリ装置においては、ＩＴＵ−Ｔ（International Telecommunication Union）Ｔ．３０勧告（非特許文献１）にもあるように、発信側であるファクシミリ装置は、自動ダイアルが終了した後、自装置が非音声端末であることを示す発呼トーンであるＣＮＧ信号（Calling Tone信号）を着信側のファクシミリ装置に対して送信していた。
【先行技術文献】
【特許文献】
【０００３】
【非特許文献１】ＩＴＵ−Ｔ（International Telecommunication Union）Ｔ．３０勧告
【０００４】
ＣＮＧ信号とは、０．５秒間オンの後、３．０秒間オフとなる１１００Ｈｚのトーン信号であり、着信側のファクシミリ装置は、当該ＣＮＧ信号を受信することにより、発信側のファクシミリ装置が非音声端末であると識別することができる。
【発明の概要】
【発明が解決しようとする課題】
【０００５】
しかしながら、発呼トーン（ＣＮＧ信号）の受信設定が手動受信に設定されている着信側のファクシミリ装置において、ファックス装置に詳しくないユーザが発信側からの呼出音に対して受話器を取ったとしても、受話器からは発呼トーン（ＣＮＧ信号）のみが聞こえるだけであり、それが発信側のファクシミリ装置から送信された発呼トーン（ＣＮＧ信号）であることを理解できないため、そのまま受話器を戻してしまい、発信側と着信側とのファクシミリ装置間で通信エラーが発生するといった問題があった。
【０００６】
本発明は、このような実情に鑑みてなされたものであり、本発明の課題は、発呼トーン（ＣＮＧ信号）の受信設定が手動受信に設定されているファクシミリ装置において、ファックス装置に詳しくないユーザが発信側のファクシミリ装置からの呼出音に対して応答したとしても、発信側と着信側とのファクシミリ装置間での通信エラーの発生を防止することが可能なファクシミリ装置を提供することである。
【課題を解決するための手段】
【０００７】
上記課題を解決するために、本発明に係るファクシミリ装置は、手動受信を行うファクシミリ装置において、音声通信を媒介する受話器と、着信を検出する着信検出部と、ユーザによる前記受話器のフックアップを検出するフック検出部と、ファックス信号を送受信するファックス信号送受信部と、音声メッセージを送出する音声メッセージ送出部と、ファックス通信を制御する通信制御部とを備え、前記通信制御部は、前記着信検出部により前記着信が検出され、前記フック検出部により前記受話器のフックアップが検出され、前記ファックス信号送受信部により前記ファックス信号の受信が検出された後、前記音声メッセージ制御部による前記音声メッセージの送出を前記受話器を介して行わせる制御を行うことを特徴とする。
【発明の効果】
【０００８】
本発明によれば、発呼トーン（ＣＮＧ信号）の受信設定が手動受信に設定されているファクシミリ装置において、ファックス装置に詳しくないユーザが発信側のファクシミリ装置からの呼出音に対して応答したとしても、発信側と着信側とのファクシミリ装置間での通信エラーの発生を防止することができる。
【図面の簡単な説明】
【０００９】
【図１】第１の実施形態の利用形態の一例を説明する図である。
【図２】ＦＡＸ（受信機）の構成を説明するための概略構成図である。
【図３】ＦＡＸ（受信機）の通信装置の構成を説明するための概略構成図である。
【図４】第１の実施形態にかかる制御部の構成を説明する図である。
【図５】通信制御部による処理動作を説明するフローチャートである。
【図６】第１の実施形態を説明するシーケンス図である。
【図７】第２の実施形態にかかる制御部の構成を説明する図である。
【図８】通信制御部による処理動作を説明するフローチャートである。
【図９】第３の実施形態にかかる制御部の構成を説明する図である。
【図１０】通信制御部による処理動作を説明するフローチャートである。
【発明を実施するための形態】
【００１０】
以下、本発明の実施形態について図面を参照して説明する。なお、本発明は以下の記述に限定されるものではなく、本発明の要旨を逸脱しない範囲において適宜変更可能である。
【００１１】
［第１の実施形態］
図１は、第１の実施形態の利用形態の一例を説明する図である。本利用形態においてはＦＡＸ（送信機）１は、着信局としてのＦＡＸ（受信機）３に対してファクシミリデータを回線５を介して自動送信する発信局として機能する。交換機２は、例えば、公衆電話網やローカル電話網等の交換回線網である。ＦＡＸ（受信機）３は、ＦＡＸ（送信機）１から送信されるＣＮＧ信号を手動で受信するように設定されており、ＦＡＸ（送信機）１からの呼出音に対してユーザが接続されたＴＥＬ４の受話器を取る（以下、フックアップと称する）ことによりＣＮＧ信号を受信することができる。
【００１２】
図２は、本発明が適用されたＦＡＸ（受信機）３の構成を説明するための概略構成図である。ＦＡＸ（受信機）３は、ＣＰＵ（Central Processing Unit）１０と、ＲＯＭ（Read Only Memory）１１と、ＲＡＭ（Random Access Memory）１３と、読取装置１４と、印刷装置１５と、通信装置１６と、操作パネル１７と、を備え、これらの部材は、システムバス１１を介して接続されている。
【００１３】
ＣＰＵ１０は、システムバス１１を介してＦＡＸ（受信機）３全体を統括的に制御する中央演算装置であり、ＲＯＭ１２に格納された制御プログラム等のソフトウェアを実行することにより、その機能を実現する。
【００１４】
システムバス１１は、ＣＰＵ１０と以下に説明する各部材とを接続する信号線である。
【００１５】
ＲＯＭ１２は、ＣＰＵ１０が実行する制御プログラム等のソフトウェアを予め格納する不揮発性の記憶装置である。
【００１６】
ＲＡＭ１３は、ＣＰＵ１０による制御プログラムの実行時に発生するデータを一時的に格納するといった、ＣＰＵ１０のワーキングエリアとして機能する。
【００１７】
読取装置１４は、例えば、光源、ＣＣＤ（Charge Coupled Device）イメージセンサ、又はレンズ等を備え、原稿上に形成された画像を読み取り、読み取った画像に基づくドットイメージデータを生成するスキャナ装置である。
【００１８】
印刷装置１５は、例えば、電子写真方式、感熱記録方式等の印刷エンジンを備えたプリンタ装置であり、ファクシミリ通信で受信した画像データ等をハードコピーとして出力する。
【００１９】
通信装置１６は、例えば、モデムやＮＣＵ（Network Control Unit）等を備え、ファクシミリ伝送制御手順による手順データや、画像データ等を変復調する。また、通信装置１６は、回線１８との接続、又は開放を制御することで、ＦＡＸ（送信機）１とのファクシミリ通信を制御する。
【００２０】
操作パネル１７は、ＦＡＸ（受信機）３の装置状況を表示や報知するための、例えば、液晶表示装置（ＬＣＤ：Liquid Crystal Display）、ＣＲＴ（Cathode Ray Tube）ディスプレイ等の表示装置、又はスピーカー等の音響装置、ユーザによるＦＡＸ（受信機）３への操作入力を受付けるためのファンクションキー、カーソルキー、又はスタート・ストップキー等の各入力装置を備える。
【００２１】
図３は、ＦＡＸ（受信機）３の通信装置１６の構成を説明するための概略構成図である。図３に示すように、通信装置１６は、ファックス信号送受信部としてのモデム２０と、着信検出部としてのＮＣＵ２１と、音声メッセージ送出部２６とを備える。
【００２２】
モデム２０は、ファクシミリ伝送制御手段による手順データや、画像データ等の変復調し、発信側のＦＡＸ（送信機）１とのファクシミリデータを授受する。
【００２３】
ＮＣＵ２１は、リレー２２と、リレー２３とにより信号経路を確立する。また、ＮＣＵ２１は、電圧センサを有し、回線５を介した着信を検出する着信検出部としての着信検出２４と、電流センサを有し、ＴＥＬ４の受話器のフックアップ状態を検出するフック検出部としてのフック検出２５とを備える。なお、フック検出２５は、ＴＥＬ４の受話器のフックアップに伴う直流ループの形成により電流センサが電流を検知することで、ＴＥＬ４の受話器のフックアップ状態を検知する。
【００２４】
リレー２２は、モデム２０と回線５との接続、及び開放を行う。また、リレー２３は、音声メッセージ送出部２６とＴＥＬ４との接続、及び開放を行うとともに、ＴＥＬ４と回線５との接続、及び開放を行う。
【００２５】
音声メッセージ送出部２６は、音声データ２７を予め格納しており、リレー２３を経由させて、音声信号に変換された音声データをＴＥＬ４に送出する。
【００２６】
次に、図４を用いて第１の実施形態にかかる制御部３０の構成について説明する。ＦＡＸ（受信機）３の制御部３０は、ＲＯＭ１２に格納され、ＣＰＵ１０によって実行されるソフトウェアのプログラムである。
【００２７】
この制御部３０は、システム制御部３１と、操作パネル制御部３２と、読取制御部３３と、印刷制御部３４と、画像データ処理部３５と、通信制御部３６とを備える。
【００２８】
システム制御部３１は、以下に説明する各制御プログラムの起動や調停を行うことで、ＦＡＸ（受信機）３のシステム内における各部材の動作を制御する。
【００２９】
操作パネル制御部３２は、ユーザインタフェースとしての操作パネル１７を制御する。
【００３０】
読取制御部３３は、読取装置１４を制御し、原稿上の画像の読み取りに関する一連の動作を制御する。
【００３１】
印刷制御部３４は、印刷装置１５を制御し、ハードコピーに関する一連の動作を制御する。
【００３２】
画像データ処理部３５は、ファクシミリ符号化データの圧縮処理や伸張処理を行う。
【００３３】
通信制御部３６は、通信装置１６を制御して回線５を介して交換回線網と接続し、ファクシミリ伝送制御手順による手順データや、画像データの授受を制御する。また、通信制御部３６は、ＴＥＬ４との接続や、音声メッセージ送出部２６を制御して音声データの送出を制御する。
【００３４】
次に、本実施形態にかかる通信制御部３６による処理動作について図５のフローチャートを用いて説明する。なお、本処理は、通信制御部３６が通信装置１６を制御することにより、手動受信の際に実行される。
【００３５】
まず、ステップＳ１において、通信制御部３６は、ＦＡＸ（受信機）３が着信待ち状態となるように、リレー２２とリレー２３とを制御する。具体的には、通信制御部３６は、リレー２２を制御して、回線５とモデム２０とを未接続の状態とするとともに、リレー２３を制御して、回線５とＴＥＬ４とを接続させる。
【００３６】
そして、通信制御部３６は、着信検出２４を制御して、交換回線網から発せられる着信を監視させる。ここで、交換回線網から回線５を介して着信が到来すると（ステップＳ２  着信？  Ｙｅｓ）、通信制御部３６は、フック検出２５を制御して、ＴＥＬ４の受話器がフックアップされたか否かを監視させる。
【００３７】
ここで、フック検出２５がフックアップを検出すると（ステップＳ３  フックアップ？  Ｙｅｓ）、通信制御部３６は、ＦＡＸ（受信機）３が発呼トーン（ＣＮＧ信号）待ち状態となるように、リレー２２とリレー２３とを制御する。具体的には、通信制御部３６は、リレー２２を制御して、回線５とモデム２０とを接続させるとともに、リレー２３を制御して、回線５とＴＥＬ４とを接続させる（ステップＳ４）。
【００３８】
一方、着信が到来しない場合（ステップＳ２  着信？  Ｎｏ）、又はフックアップが検出されない場合（ステップＳ３  フックアップ？  Ｎｏ）、通信制御部３６による処理はステップＳ２から繰り返される。
【００３９】
次に、通信制御部３６は、モデム２０を制御して、発呼トーン（ＣＮＧ信号）が到達したか否かを監視させる。前述したように、発呼トーン（ＣＮＧ信号）とは、ＦＡＸ（送信機）１が送信するものであり、１０００Ｈｚ（０．５秒）と無音（３秒）からなるトーン信号であり、ＦＡＸ（受信機）３が応答するか、タイムアウトになるまで繰り返される。
【００４０】
発呼トーン（ＣＮＧ信号）が到来した場合（ステップＳ５  １ｓｔＣＮＧ？  Ｙｅｓ）、通信制御部３６は、リレー２３と音声メッセージ送出部２６とを制御して、音声メッセージをＴＥＬ４の受話器に送出させる（ステップＳ６）。具体的には、通信制御部３６は、リレー２３を制御して、ＴＥＬ４と音声メッセージ送出部２６とを接続させる。そして、通信制御部３６は、音声メッセージ送出部２６を制御して音声メッセージを送出させるとともに、リレー２３を制御して、ＴＥＬ４と回線５とを接続させる。
【００４１】
上記音声メッセージは、例えば、「相手はファクシミリです。スタートキーを押して、通信を開始してください。」といった、ユーザが次の動作を把握することができるような内容とするものとする。なお、上記音声メッセージ以外にも、表示装置や音響装置等を利用して、ユーザに同内容を報知する形態としてもかまわない。
【００４２】
一方、発呼トーン（ＣＮＧ信号）が到来しない場合（ステップＳ５  １ｓｔＣＮＧ？  Ｎｏ）、ステップＳ６における音声メッセージ送出の処理は行われず、ステップＳ７の処理に移行する。なお、ステップＳ５における発呼トーン（ＣＮＧ信号）の検知は、一回の検知とし、後続する発呼トーン（ＣＮＧ信号）は無視する。すなわち、二回目以降の発呼トーン（ＣＮＧ信号）が到来したとしても、Ｓ５における判定はＮｏとなり、ステップＳ７の処理に移行する。
【００４３】
ステップＳ６において、音声メッセージがＴＥＬ４の受話器に送出されると、システム制御部３１は、操作パネル制御部３２に対して、手動受信を開始する旨のスタートキーの押下がユーザにより操作パネル１７を介してなされたか否かを監視するよう指示を与える。
【００４４】
ユーザによる操作パネル１７のスタートキーの押下を検知した場合（ステップＳ７  スタート？  Ｙｅｓ）、操作パネル制御部３２はその旨をシステム制御部３１に通知する。通知を受けたシステム制御部３１は、通信制御部３６に対して、ＦＡＸ（受信機）３がファクシミリ通信が可能となるように、リレー２２とリレー２３とを制御するよう指示を与える。指示を受けた、通信制御部３６は、リレー２２を制御して、回線５とモデム２０とを接続させるとともに、リレー２３を制御して、回線５とＴＥＬ４とを接続させる（ステップＳ９）。
【００４５】
最後に、ファクシミリの受信が開始されると、通信制御部３６による一連の処理は終了する（ステップＳ１０）。
【００４６】
ところで、ステップＳ７において、ユーザによる操作パネル１７のスタートキーの押下が検知されない場合（ステップＳ７  スタート？  Ｎｏ）、操作パネル制御部３２はその旨をシステム制御部３１に通知する。通知を受けたシステム制御部３１は、通信制御部３６に対して、フック検出２５を制御して、ＴＥＬ４の受話器がフックアップされたか否かを監視するよう指示を与える。
【００４７】
そして、フック検出２５がフックアップを検出すると（ステップＳ８  フックアップ？  Ｙｅｓ）、通信制御部３６による処理は、Ｓ５に移行する。一方、フック検出２５がフックアップを検出しないと（ステップＳ８  フックアップ？  Ｎｏ）、通信制御部３６による処理は、ステップＳ１に移行する。
【００４８】
図６は、第１の実施形態を説明するシーケンス図である。なお、図中の上段は、回線５における信号の流れを示し、図中下段は、ＴＥＬ４における信号の流れを示す。
【００４９】
まず、ＦＡＸ（送信機）１が発信する。そして、ＦＡＸ（受信機）３に着信すると、ＴＥＬ４の受話器等から着信を示すベル音等が鳴動する。
【００５０】
そして、ユーザが該ベル音等に対して、ＴＥＬ４の受話器をフックアップする。すると、ＦＡＸ（受信機）３は、ＦＡＸ(送信機)１からの発呼トーン（ＣＮＧ信号）を検出した後、音声メッセージをＴＥＬ４の受話器に対して送出する。
【００５１】
ＴＥＬ４の受話器からの発せられる音声メッセージを聞いたオペレータがスタートキーを押下することで、ファクシミリ通信が開始される。
【００５２】
以上のように、第１の実施形態によれば、発呼トーン（ＣＮＧ信号）の受信設定が手動受信に設定されているファクシミリ装置において、ファックス装置に詳しくないユーザが発信側のファクシミリ装置からの呼出音に対して応答したとしても、発信側と着信側とのファクシミリ装置間での通信エラーの発生を防止することができる。
【００５３】
[第２の実施形態]
第２の実施形態にかかるＦＡＸ（受信機）３の構成は、第１の実施形態にかかる構成と略同一である。したがって、第２の実施形態の説明においては、第１の実施形態と同一か箇所については同一の符号を付してその説明を省略し、異なる個所について説明を行う。
【００５４】
図７は、第２の実施形態にかかる制御部３０’の構成について説明する。ＦＡＸ（受信機）３の制御部３０’は、ＲＯＭ１２に格納され、ＣＰＵ１０によって実行されるソフトウェアのプログラムである。
【００５５】
この制御部３０’は、システム制御部３１と、操作パネル制御部３２と、読取制御部３３と、印刷制御部３４と、画像データ処理部３５と第１の実施形態の通信制御部３６に換えて通信制御部４０とを備える。
【００５６】
通信制御部４０は、通信装置１６を制御して回線５を介して交換回線網と接続し、ファクシミリ伝送制御手順による手順データや、画像データの授受を制御する。また、通信制御部４０は、ＴＥＬ４との接続や、音声メッセージ送出部２６を制御して音声データの送出を制御する。
【００５７】
次に、本実施形態にかかる通信制御部４０による処理動作について図８のフローチャートを用いて説明する。なお、本処理は、通信制御部４０が通信装置１６を制御することにより、手動受信の際に実行される。
【００５８】
まず、ステップＳ１１において、通信制御部４０は、ＦＡＸ（受信機）３が着信待ち状態となるように、リレー２２とリレー２３とを制御する。具体的には、通信制御部４０は、リレー２２を制御して、回線５とモデム２０とを未接続の状態とするとともに、リレー２３を制御して、回線５とＴＥＬ４とを接続させる。
【００５９】
そして、通信制御部４０は、着信検出２４を制御して、交換回線網から発せられる着信を監視させる。ここで、交換回線網から回線５を介して着信が到来すると（ステップＳ１２  着信？  Ｙｅｓ）、通信制御部４０は、フック検出２５を制御して、ＴＥＬ４の受話器がフックアップされたか否かを監視させる。
【００６０】
ここで、フック検出２５がフックアップを検出すると（ステップＳ１３  フックアップ？  Ｙｅｓ）、通信制御部４０は、ＦＡＸ（受信機）３が発呼トーン（ＣＮＧ信号）待ち状態となるように、リレー２２とリレー２３とを制御する。具体的には、通信制御部４０は、リレー２２を制御して、回線５とモデム２０とを接続させるとともに、リレー２３を制御して、回線５とＴＥＬ４とを接続させる（ステップＳ１４）。
【００６１】
一方、着信が到来しない場合（ステップＳ１２  着信？  Ｎｏ）、又はフックアップが検出されない場合（ステップＳ１３  フックアップ？  Ｎｏ）、通信制御部４０による処理はステップＳ１２から繰り返される。
【００６２】
次に、通信制御部４０は、モデム２０を制御して、発呼トーン（ＣＮＧ信号）が到達したか否かを監視させる。前述したように、発呼トーン（ＣＮＧ信号）とは、ＦＡＸ（送信機）１が送信するものであり、１０００Ｈｚ（０．５秒）と無音（３秒）からなるトーン信号であり、ＦＡＸ（受信機）３が応答するか、タイムアウトになるまで繰り返される。
【００６３】
発呼トーン（ＣＮＧ信号）が到来した場合（ステップＳ１５  ＣＮＧ？  Ｙｅｓ）、通信制御部４０は、リレー２３と音声メッセージ送出部２６とを制御して、音声メッセージをＴＥＬ４の受話器に送出させる（ステップＳ１６）。具体的には、通信制御部４０は、リレー２３を制御して、ＴＥＬ４と音声メッセージ送出部２６とを接続させる。そして、通信制御部４０は、音声メッセージ送出部２６を制御して音声メッセージを送出させるとともに、リレー２３を制御して、ＴＥＬ４と回線５とを接続させる。
【００６４】
上記音声メッセージは、例えば、「相手はファクシミリです。受信を開始します。」といった、ユーザが次の動作を把握することができるような内容とするものとする。なお、上記音声メッセージ以外にも、表示装置や音響装置等を利用して、ユーザに同内容を報知する形態としてもかまわない。
【００６５】
一方、発呼トーン（ＣＮＧ信号）が到来しない場合（ステップＳ１５  ＣＮＧ？  Ｎｏ）、ステップＳ１６における音声メッセージ送出の処理は行われず、ステップＳ１７の処理に移行する。
【００６６】
ステップ１７において、システム制御部４０は、操作パネル制御部３２に対して、手動受信を開始する旨のスタートキーの押下がユーザにより操作パネル１７を介してなされたか否かを監視するよう指示を与える。
【００６７】
ユーザによる操作パネル１７のスタートキーの押下を検知した場合（ステップＳ１７  スタート？  Ｙｅｓ）、操作パネル制御部３２はその旨をシステム制御部３１に通知する。通知を受けたシステム制御部３１は、通信制御部４０に対して、ステップＳ１９以降の処理を実行するよう指示を与える。
【００６８】
一方、ステップＳ１７において、ユーザによる操作パネル１７のスタートキーの押下が検知されない場合（ステップＳ１７  スタート？  Ｎｏ）、操作パネル制御部３２はその旨をシステム制御部３１に通知する。通知を受けたシステム制御部３１は、通信制御部４０に対して、フック検出２５を制御して、ＴＥＬ４の受話器がフックアップされたか否かを監視するよう指示を与える。
【００６９】
そして、フック検出２５がフックアップを検出すると（ステップＳ１８  フックアップ？  Ｙｅｓ）、通信制御部４０による処理は、Ｓ１５に移行する。一方、フック検出２５がフックアップを検出しないと（ステップＳ１８  フックアップ？  Ｎｏ）、通信制御部４０による処理は、ステップＳ１１に移行する。
【００７０】
音声メッセージがＴＥＬ４の受話器に送出されるか（ステップＳ１６）、又はユーザによる操作パネル１７のスタートキーの押下が検知された場合（ステップＳ１７  スタート？  Ｙｅｓ）、システム制御部３１は、通信制御部４０に対して、ＦＡＸ（受信機）３がファクシミリ通信が可能となるように、リレー２２とリレー２３とを制御するよう指示を与える。指示を受けた、通信制御部４０は、リレー２２を制御して、回線５とモデム２０とを接続させるとともに、リレー２３を制御して、回線５とＴＥＬ４とを接続させる（ステップＳ１９）。
【００７１】
最後に、ファクシミリの受信が開始されると、通信制御部４０による一連の処理は終了する（ステップＳ２０）。
【００７２】
以上のように、第２の実施形態によれば、発呼トーン（ＣＮＧ信号）の受信設定が手動受信に設定されているファクシミリ装置において、ファックス装置に詳しくないユーザが発信側のファクシミリ装置からの呼出音に対して応答したとしても、自動的に受信が開始され、その旨がユーザに報知されることになり、発信側と着信側とのファクシミリ装置間での通信エラーの発生を防止することができる。また、自動的に受信が開始されるため、ユーザがスタートキーを押下する手間を省くことができる。
【００７３】
[第３の実施形態]
第３の実施形態にかかるＦＡＸ（受信機）３の構成は、第１の実施形態にかかる構成と略同一である。したがって、第３の実施形態の説明においては、第１の実施形態と同一か箇所については同一の符号を付してその説明を省略し、異なる個所について説明を行う。
【００７４】
図９は、第３の実施形態にかかる制御部３０’’の構成について説明する。ＦＡＸ（受信機）３の制御部３０’’は、ＲＯＭ１２に格納され、ＣＰＵ１０によって実行されるソフトウェアのプログラムである。
【００７５】
この制御部３０’’は、システム制御部３１と、操作パネル制御部３２と、読取制御部３３と、印刷制御部３４と、画像データ処理部３５と第１の実施形態の通信制御部３６に換えて通信制御部５０とを備える。
【００７６】
通信制御部５０は、通信装置１６を制御して回線５を介して交換回線網と接続し、ファクシミリ伝送制御手順による手順データや、画像データの授受を制御する。また、通信制御部５０は、ＴＥＬ４との接続や、音声メッセージ送出部２６を制御して音声データの送出を制御する。
【００７７】
次に、本実施形態にかかる通信制御部５０による処理動作について図１０のフローチャートを用いて説明する。なお、本処理は、通信制御部５０が通信装置１６を制御することにより、通信中に実行される。
【００７８】
まず、ステップＳ２１において、通信制御部５０は、ＦＡＸ（受信機）３が通信中となるように、リレー２２とリレー２３とを制御する。具体的には、通信制御部５０は、リレー２２を制御して、回線５とモデム２０とを接続の状態とするとともに、リレー２３を制御して、回線５とＴＥＬ４とを接続させる。
【００７９】
そして、通信制御部５０は、ファクシミリ伝送制御手順の状態遷移を監視し、通信中か否かを監視する。
【００８０】
ここで、ＦＡＸ（受信機）３が通信中である場合（ステップＳ２２  通信中？  Ｙｅｓ）、通信制御部５０は、フック検出２５を制御して、ＴＥＬ４の受話器がフックアップされたか否かを監視させる。
【００８１】
そして、フック検出２５がフックアップを検出すると（ステップＳ２３  フックアップ？  Ｙｅｓ）、通信制御部５０は、リレー２３と音声メッセージ送出部２６とを制御して、音声メッセージをＴＥＬ４の受話器に送出させる（ステップＳ２４）。具体的には、通信制御部４０は、リレー２３を制御して、ＴＥＬ４と音声メッセージ送出部２６とを接続させる。
【００８２】
上記音声メッセージは、例えば、「ファクシミリ通信中です。しばらくお待ちください。」といった、ユーザが次の動作を把握することができるような内容とするものとする。なお、上記音声メッセージ以外にも、表示装置や音響装置等を利用して、ユーザに同内容を報知する形態としてもかまわない。
【００８３】
一方、フックアップが検出されない場合（ステップＳ２３  フックアップ？  Ｎｏ）、通信制御部５０による処理はステップＳ２２から繰り返される。
【００８４】
音声メッセージがＴＥＬ４の受話器から送出されると（ステップＳ２４）、通信制御部５０は、フック検出２５を制御して、ＴＥＬ４の受話器がフックアップされなくなるまで監視する。
【００８５】
そして、フック検出２５によりフックアップが検出されなくなると（ステップＳ２５  フックアップ？  Ｎｏ）、通信制御部５０による処理はステップＳ２２から繰り返される。
【００８６】
ＦＡＸ（受信機）３が通信中でない場合（ステップＳ２２  通信中？  Ｎｏ）、通信制御部５０は、通信制御部５０は、ＦＡＸ（受信機）３が着信待ち状態となるように、リレー２２とリレー２３とを制御する（ステップＳ２６）。具体的には、通信制御部５０は、リレー２２を制御して、回線５とモデム２０とを未接続の状態とするとともに、リレー２３を制御して、回線５とＴＥＬ４とを接続させる。
【００８７】
そして、通信制御部５０による一連の処理は終了する。
【００８８】
以上のように、第３の実施形態によれば、通信中のファクシミリ装置において、ファックス装置に詳しくないユーザが発信側のファクシミリ装置からの呼出音に対して応答したとしても、通信中である旨がユーザに報知されることになり、発信側と着信側とのファクシミリ装置間での通信エラーの発生を防止することができる。
【００８９】
本実施形態の説明においては、本発明をファクシミリ装置に適用した一例について説明したが、本発明は、ファクシミリ装置以外にも、複合機、ＰＣ（Personal Computer）、ＰＣＦＡＸ等のファクシミリ通信を行う情報処理装置に適用可能である。
【符号の説明】
【００９０】
１  ＦＡＸ（送信機）
２  交換機
３  ＦＡＸ（受信機）
４  ＴＥＬ
５  回線
１０  ＣＰＵ
１１  システムバス
１２  ＲＯＭ
１３  ＲＡＭ
１４  読取装置
１５  印刷装置
１６  通信装置
１７  操作パネル
２０  モデム
２１  ＮＣＵ
２２  リレー
２３  リレー
２４  着信検出
２５  フック検出
２６  音声メッセージ送出部
２７  音声データ
３０  制御部
３１  システム制御部
３２  操作パネル制御部
３３  読取制御部
３４  印刷制御部
３５  画像データ処理部
３６、４０、５０  通信制御部
【図１】
2012178756.tif 000003
【図２】
2012178756.tif 000004
【図３】
2012178756.tif 000005
【図４】
2012178756.tif 000006
【図５】
2012178756.tif 000007
【図６】
2012178756.tif 000008
【図７】
2012178756.tif 000009
【図８】
2012178756.tif 000010
【図９】
2012178756.tif 000011
【図１０】
2012178756.tif 000012